(57)【要約】【課題】  二重床における温水式床暖房の施工において、配管業者が行う作業と二重床施工業者が行う作業とを完全に分離できるようにして、作業効率を改善する。【解決手段】  二重床における温水式床暖房の施工方法において、ボイラーからの温水配管６２と温水シート１０からの温水パイプ１２とを接続すべき位置における床スラブ面１に配管立ち上げ用治具５０を定着する。配管立ち上げ用治具５０に温水配管６２の先端を仮固定する。その後、上面床である床下地７０を形成し、配管立ち上げ用治具５０に対応する場所に第２の開口７４を形成する。温水シート１０ａ，１０ｂを配置した後、各第２の開口７４から温水配管の先端を床下地７０の上に引き出し、各温水パイプ１２と接続する。最後に、床仕上げ材２１〜２４を敷設する。【選択図】  図７
2005241072.tif 000002
【特許請求の範囲】
【請求項１】
二重床構造の上面床である床下地上に、基材シートに温水パイプを配置しかつ配置した温水パイプの両端部を外に延出させている形態の温水シートを敷き詰め、下面床である床スラブに配管した熱源からの温水配管と温水シートから延出している温水パイプ端部とを接続することにより閉じた温水回路を形成し、この後、床仕上げ材を敷設するようにした二重床における温水式床暖房の施工方法であって、
熱源からの温水配管と温水シートからの温水パイプとを接続すべき位置における床スラブ面に上面に温水配管が通過する開口を形成した配管立ち上げ用治具を定着する工程、
熱源からの温水配管を先端が配管立ち上げ用治具に形成した開口から上方に飛び出るようにして仮固定する工程、
上面床である床下地を形成する工程、
上面床である床下地における配管立ち上げ用治具に形成した開口に対向する位置に第２の開口を形成する工程、
上面床である床下地上に温水シートを配置する工程、
上面床である床下地に形成した第２の開口を利用して配管立ち上げ用治具に仮固定されている温水配管を床下地上に引き出し、床下地上に敷き詰めた温水シートから延出している温水パイプ端部と接続して閉じた温水回路を形成する工程、
床仕上げ材を敷設する工程、
とを少なくとも有することを特徴とする二重床における温水式床暖房の施工方法。
【請求項２】
上面床である床下地上に配置する温水シートは２枚以上であり、各温水シートに形成された温水パイプ端部の延出位置に対応して、２個以上の配管立ち上げ用治具を床スラブ面に定着することを特徴とする請求項１に記載の二重床における温水式床暖房の施工方法。
【請求項３】
上面床である床下地に第２の開口を形成する工程において、配管立ち上げ用治具に形成した開口の位置と形状に対応した開口パターンを備えた開口用治具を用い、それを配管立ち上げ用治具に対向した床下地上に置き、該開口用治具を利用して床下地に第２の開口を形成することを特徴とする請求項１または２に記載の二重床における温水式床暖房の施工方法。
【請求項４】
二重床構造の上面床である床下地上に、基材シートに温水パイプを配置しかつ配置した温水パイプの両端部を外に延出させている形態の温水シートが配置してあり、下面床である床スラブに配管した熱源からの温水配管と温水シートから延出している温水パイプ端部とが接続することにより閉じた温水回路が形成されており、その上に床仕上げ材が敷設されている温水式床暖房構造であって、
熱源からの温水配管と温水シートからの温水パイプとを接続すべき位置における床スラブ面には、温水配管が通過する開口を上面に形成した配管立ち上げ用治具が定着されており、前記閉じた温水回路を形成する管路は配管立ち上げ用治具の上面に形成した開口を通過していることを特徴とする二重床における温水式床暖房構造。
【請求項５】
上面床である床下地上に敷き詰めてある温水シートは２枚以上であり、床スラブ面には各温水シートに形成された温水パイプ端部の延出位置に対応して２個以上の配管立ち上げ用治具が定着されていることを特徴とする請求項４に記載の二重床における温水式床暖房構造。
【発明の詳細な説明】
【技術分野】
【０００１】
本発明は、下床面である床スラブ（コンクリート床スラブ）と、その上に所定距離をおいて形成される上床面である床下地とで構成される二重床に対して温水式床暖房を施工するための施工方法と二重床における温水式床暖房構造に関する。
【背景技術】
【０００２】
二重床における温水式床暖房構造では、施工に際し、一般に、下床面である床スラブ面にボイラーなどの熱源に接続する温水配管を配設し、上床面である床下地面に適宜の方法により温水パイプを配設し、温水配管と温水パイプとを適宜の手段により接続して閉じた温水回路を形成した後、裏面に温水パイプを収容する溝を形成した木質系床材のような床仕上げ材を敷設するようにしている。
【０００３】
特許文献１（特開２００２−３３９５５４号公報）にはその一例が記載されており、図１０に示すように、ここでは、コンクリートスラブ１に立てた支持脚２を利用して、温水パイプを収容する凹溝３を備えたベースパネル４とボーダーパネル５とを床下地に相当するものとして配置すると共に、温水パイプ６は、外部の給湯機器から床下の空間Ｓに入り、コンクリートスラブ１に配置したさや管７を通ってボーダーパネル５に形成したピット８通過し、そこからベースパネル４の凹溝３に引き込まれるようになっている。ボーダーパネル５に温水パイプ用の空間としてピット８を形成したことにより、配管の自由度が大きくなり、レイアウト変更を簡単に行うことができると記載されている。
【０００４】
温水床暖房構造を構築するのに、上記のように温水パイプを収容する凹溝を備えた基材を敷き詰め、その後、該凹溝内に温水パイプを埋め込んでいく方法とは別に、特許文献２（特開２００３−２７９０５７号公報）には、図１１に示すように、基材シート１１に温水パイプ１２を配置して全体をカバー１３で覆うと共に、配置した温水パイプ１２の温水入口側端部１４と出口側端部１５とを外に延出させている形態の温水シート１０を、床下地上に敷き詰め、温水パイプ１２の両端部１４、１５を床下地の下方側に引き落とした後、床下で熱源からの温水配管に接続して閉じた温水回路を形成し、その上に床仕上げ材を敷設して温水式床暖房構造とすることが提案されている。
【０００５】
図１０に記載の二重床における温水式床暖房構造は、二重床の上床面である床下地に相当するものとして、特別の形態のベースパネル４とボーダーパネル５とを用いるようにしており、施工が容易でない。図１１に記載の温水シート１０を用いる方法は、根太の上に貼り付けた合板のような通常の床下地を利用して温水式床暖房構造とすることができ、施工が容易であると共に汎用性もある。しかし、温水シート１０からの温水パイプ１２と熱源からの温水配管との接続を床下地の裏面側で行う必要があり、木造戸建て住宅のように床下に十分に空間がある場合には施工に格別の問題は生じないが、集合住宅でのように、コンクリート床スラブに支柱を立て、それを利用して合板などにより上床面である床下地を形成する二重床構造の場合には、床下地の裏面に十分なスペースがないことから、その施工は容易でない。
【０００６】
通常、施工に当たっては、温水回路回りの施工を行う配管業者と、上床面である床下地構造を建て込む二重床施工業者の双方が同時に施工現場に立ち会い、熱源からの温水配管をコンクリート床スラブに沿って配管する作業（配管業者）と、床スラブに支柱を立てて二重床構造を作る作業（二重床施工業者）と、部分的にできあがった床下地面に温水シートを敷設すると共に、そこから延出している温水パイプ端を熱源からの温水配管に接続する作業（配管業者）とを並行的に順次行い、閉じた温水回路が完成した後に、裏面に温水パイプを収容する凹溝を持つ床材やボーダーパネルなどの床仕上げ材を敷設する作業を床仕上げ業者が行う、という手順を取っているのが普通である。
【特許文献１】特開２００２−３３９５５４号公報
【特許文献２】特開２００３−２７９０５７号公報
【発明の開示】
【発明が解決しようとする課題】
【０００７】
同じ施工現場に配管業者と二重床施工業者の両者が同時に立ち会って温水式床暖房施工を行うことは一面では効率的であるが、一方の業者が立ち会えないときに、作業が中断する不都合がある。配管作業と二重床施工作業とを分離して行うことができ、かつ、前の作業を行った者が立ち会うことなく、後の作業を行うものが支障なく後続の作業を行うことができれば、作業効率は大きく向上する。
【０００８】
本発明は上記のような事情に鑑みてなされたものであり、二重床における温水式床暖房の施工において、配管業者が行う作業と二重床施工業者が行う作業とを完全に分離しながら、両者の作業の引継を支障なく行えるようにし、それにより、作業効率を大きく改善することのできる、二重床における温水式床暖房の施工方法および温水式床暖房構造を提供することを目的とする。
【課題を解決するための手段】
【０００９】
上記の課題を解決するための第１の発明は、二重床構造の上面床である床下地上に、基材シートに温水パイプを配置しかつ配置した温水パイプの両端部を外に延出させている形態の温水シートを敷き詰め、下面床である床スラブに配管した熱源からの温水配管と温水シートから延出している温水パイプ端部とを接続することにより閉じた温水回路を形成し、この後、床仕上げ材を敷設するようにした二重床における温水式床暖房の施工方法であって、
（ａ）熱源からの温水配管と温水シートからの温水パイプとを接続すべき位置における床スラブ面に、上面に温水配管が通過する開口を形成した配管立ち上げ用治具を定着する工程、
（ｂ）熱源からの温水配管を先端が配管立ち上げ用治具に形成した開口から上方に飛び出るようにして仮固定する工程、
（ｃ）上面床である床下地を形成する工程、
（ｄ）上面床である床下地における配管立ち上げ用治具に形成した開口に対向する位置に第２の開口を形成する工程、
（ｅ）上面床である床下地上に温水シートを配置する工程、
（ｆ）上面床である床下地に形成した第２の開口を利用して配管立ち上げ用治具に仮固定されている温水配管を床下地上に引き出し、床下地上に敷き詰めた温水シートから延出している温水パイプ端部と接続して閉じた温水回路を形成する工程、
（ｇ）床仕上げ材を敷設する工程、とを少なくとも有することを特徴とする。
【００１０】
上記の施工方法において、（ａ）の工程と（ｂ）の工程は配管業者が行う。（ａ）の工程での「熱源からの温水配管と温水シートからの温水パイプとを接続すべき位置」は、使用する温水シートの形態や大きさによって異なるが、施工図面により当該施工現場での的確な位置を把握することができるので、それに従い、位置決めをして配管立ち上げ用治具を定着すればよい。
【００１１】
（ａ）および（ｂ）の工程の作業終了後に、施工現場に二重床施工業者が入り、（ｃ）の工程を行う。この工程は、従来のコンクリート床スラブに二重床を形成するやり方と全く同じであってよい。その後、二重床施工業者が（ｄ）の工程を行う。ここでの「配管立ち上げ用治具に形成した開口に対向する位置」も当該施工現場の施工図面により的確に把握することができる。第２の開口を形成した時点で、二重床施工業者は作業を終え、施工現場を離れることができる。
【００１２】
その後、再び、施工現場に配管業者が入り（ｅ）の工程を行い、この後あるいは並行して（ｆ）の工程を行う。二重床施工業者が床下地に形成した第２の開口の直下には、先に配管業者が行った前記（ｂ）の工程の作業により、熱源からの温水配管の先端が立ち上がった状態で位置しているので、（ｆ）の工程において、前記第２の開口から熱源からの温水配管を引き出すことは容易であり、温水シートから延出している温水パイプ端部と温水配管との接続作業を床下地の上で容易に行うことができる。それにより、閉じた温水回路を形成する作業はきわめて容易となる。接続後に第２の開口から飛び出している温水パイプや温水配管を床下地の下に押し込む。最後に、床仕上げ業者が（ｇ）工程を行うことにより、本発明による二重床における温水式床暖房構造は完成する。
【００１３】
本発明において、用いる温水シートの大きさや形状に制限はなく、施工現場の環境に応じて最適なものを適宜選定すればよい。温水シートには、温水パイプが１回路のものでもよく、２回路以上を並列に持つものであってもよい。温水パイプの端部は、前者の場合は入側と出側の２本であり、後者の場合には例えば２回路のものでは４本、３回路の場合には６本となる。使用する温水シートに応じて、少なくともその端部の数だけの開口を上面に形成した配管立ち上げ用治具を用いる。
【００１４】
上面床である床下地上に配置する温水シートが１枚の場合には、１個の配管立ち上げ用治具を床スラブ面に定着すればよく、２枚以上の場合には、各温水シートに形成された温水パイプ端部の延出位置に対応して、２個以上の配管立ち上げ用治具を床スラブ面に定着する。
【００１５】
前記（ｄ）の工程、すなわち、上面床である床下地における配管立ち上げ用治具に形成した開口に対向する位置に第２の開口を形成する工程において、配管立ち上げ用治具に形成した開口の位置と形状に対応した開口パターンを備えた開口用治具を用い、それを配管立ち上げ用治具に対向した床下地上に置き、該開口用治具を利用して床下地に第２の開口を形成するようにすることは、第２の開口を正確に対応した位置に形成することができるので好ましい。
【００１６】
本発明は、上記した施工方法により造られる温水式床暖房構造として、二重床構造の上面床である床下地上に、基材シートに温水パイプを配置しかつ配置した温水パイプの両端部を外に延出させている形態の温水シートが配置してあり、下面床である床スラブに配管した熱源からの温水配管と温水シートから延出している温水パイプ端部とが接続することにより閉じた温水回路が形成されており、その上に床仕上げ材が敷設されている温水式床暖房構造であって、熱源からの温水配管と温水シートからの温水パイプとを接続すべき位置における床スラブ面には、温水配管が通過する開口を上面に形成した配管立ち上げ用治具が定着されており、前記閉じた温水回路を形成する管路は配管立ち上げ用治具の上面に形成した開口を通過していることを特徴とする二重床における温水式床暖房構造をも開示する。
【発明の効果】
【００１７】
上記のように、本発明によれば、二重床における温水式床暖房構造において、閉じた温水回路を形成する作業を大きく簡素化できるばかりでなく、配管業者が行う作業と二重床施工業者が行う作業とを完全に分離でき、かつ、両者の作業の引継も支障なく行うことができる。それにより、二重床における温水式床暖房を施工する際の作業効率を大きく改善することのできる。
【発明を実施するための最良の形態】
【００１８】
以下、本発明を図面を参照しながら実施の形態に基づき説明する。図１は本発明による施工方法で用いる温水シートのいくつかの例を示しており、図２は本発明による施工方法で造られた二重床における温水式床暖房構造を上から見て示している。図３〜図７は本発明による二重床における温水式床暖房の施工方法を工程順に示す図であり、図８は本発明で用いる配管立ち上げ用治具および開口用治具の一例を示している。また、図９ａは温水配管と温水パイプとの接続態様の一例を模式的に示しており、図９ｂは配管立ち上げ用治具に温水配管の端部を仮留めした状態を示している。
【００１９】
図１ａに示す温水シート１０ａは、図１１に示したものと実質的に同じものであり、２つの温水回路が対象な形で並列に設けられている。各回路を形成する温水パイプ１２、１２は直径７．３ｍｍ程度のものであり、温水入口側端部１４、１４と出口側端部１５、１５の４本の端部は、短辺側の中央部にまとめられ、１４０ｍｍ程度の間隔をおいて、そこから外側に延出している。温水パイプの入口側端部１４と出口側端部１５は適宜の手段により色分けが施してあり、閉じた温水回路を成形するときに、繋ぎ間違いが起こるのを防いでいる。
【００２０】
図１ｂに示す温水シート１０ｂは２回路構成のものではあるが、温水シート１０ａよりも幅が狭くなっており、温水パイプ端部１４、１５の延出位置が中央でなくやや右側に偏位している。図１ｃに示す温水シート１０ｃは１回路構成であり、２本の端部１４、１５のみを持ち、端部は短辺の一方側に偏位したところから延出している。
【００２１】
図２は施工後の状態を示しており、図２ａは１２畳の床面に温水式床暖房施工をした場合であり、図２ｂは８畳の床面に温水式床暖房施工をした場合である。図２ａの場合には、右側に図１ａに示した温水シート１０ａが位置し、中央および左側に図１ｂに示した温水シート１０ｂが２枚位置している。図２ｂの場合には、図１ａに示した温水シート１０ａと図１ｂに示した温水シート１０ｂとが１枚ずつ並置されている。各温水シートの上には、従来工法と同様にして、スタートパネル２１、本体パネル２２、エンドパネル２３、周辺パネル２４のような床仕上げ材が敷き詰められて、温水式床暖房構造となっている。
【００２２】
上記のように、施工現場環境に応じて、異なった種類の温水シートが用いられることが多く、また、温水シートの種類によって、温水パイプ端部の延出位置も異なっている。そのために、施工現場毎に、一例として図２ａ，ｂに示すような施工図面が作られ、それに基づき、下面床である床スラブ上に熱源からの温水配管を位置決めしながら配管し、また、上面床である床下地上に温水シートを位置決めしながら配置し、その後に、温水配管と温水シート端部との接続が行われる。
【００２３】
以下、本発明による二重床における温水式床暖房の施工方法を、図２ａに示した場合を例として、工程順に説明する。最初に、配管業者が現場に入り、図３に示すように、コンクリート床スラブ１の所定位置（この例では３箇所であり、正確な位置は施工図面を従って容易に設定できる）に、図８ａに示す形状の配管立ち上げ用治具５０をビス留めなどにより定着する。
【００２４】
配管立ち上げ用治具５０は樹脂材料や金属材料で作られており、脚部５１と立ち上がり部５２と上面５３とを有し、上面５３にはボイラーのような熱源からの温水配管が通過できる幅の４個の長孔５４が形成されている。なお、前記した図１ｃに示す１回路構成の温水シート１０ｃを用いる場合には、上面に形成する長孔は２個であってよい。
【００２５】
次に、図４に示すように、使用する３枚の温水シート、すなわち１枚の温水シート１０ａと２枚の温水シート１０ｂに並列に形成されている計６個の温水回路のそれぞれと、ボイラー６１からの温水往き側と温水戻り側とが最終的に閉じた温水回路を組むことができるように、ボイラー６１からの温水配管６２を分岐集合させながら、コンクリート床スラブ１の上に配管する。
【００２６】
図９ａは閉じた温水回路を形成する場合の一例を示しており、ボイラー６１からの温水配管６２を構成する温水配管往き側端６３と温水配管戻り側端６４とは、分岐継手６３ａ，６４ｂによりそれぞれ２分割され、２本の往き側継ぎ管６３ｂと２本の戻り側継ぎ管４ｂを介して、例えば温水シート１０ａの温水入口側端部１４、１４と出口側端部１５、１５に接続するようにされる。図示のように、すべての温水域側と温水戻り側とを色分けしておくことにより、接続間違いを防ぐことができる。
【００２７】
図９ｂは、図９ａに示す温水回路を構築し易くするために行われる、配管立ち上げ用治具５０への４本の適宜の継ぎ管の仮留め態様を示しており、配管立ち上げ用治具５０に形成した４個の長孔５４に、２本の往き側継ぎ管６３ｂと２本の戻り側継ぎ管６４ｂとを下から上に向けて挿入し、各端が所要長さ飛び出た状態として仮留めされている。この作業を図４に示した３個の配管立ち上げ用治具５０について行う。ここまでの作業は配管業者の作業であり、配管業者独自で行うことができる。作業終了後、施工現場から離れても、以降の作業に何の影響も与えない。
【００２８】
上記の作業終了後に、二重床施工業者が施工現場に入り、図５に示すように、コンクリート床スラブ１の上に適宜の支柱２を立てて、上面床である床下地７０を作る作業を行う。床下地７０は従来のものと同じであってよく、パーティクルボードのような木質繊維板を敷き詰めてもよく、合板でもよく、木質繊維板の上に合板を敷き詰める形態でもよい。その後であるいはその作業と並行して、先に配管業者が施工していった３個の配管立ち上げ用治具５０に形成した開口５４に対向する床下地７０の位置に、それぞれ第２の開口７４を形成する。この作業は床下地７０の上での作業であり、作業者は配管立ち上げ用治具５０を見ることはできない。しかし、施工図面を従って位置を選定することにより、正確な位置に第２開口７４を形成することができる。
【００２９】
なお、第２の開口７４は外気との連通孔を形成するので、できるだけ余分な空間のない状態で形成されることが望ましく、また、配管長を長くしないためにも、配管立ち上げ用治具５０の上面５３の直上に形成されることが望ましい。しかし、前記したように、配管立ち上げ用治具５０の上面５３に形成される４個の長孔５４の間隔は狭く、その間隔のとおりにかつその直上の位置に４つの第２の開口７４を形成することは容易でない。そのために、作業に当たり、図８ｂに示すように形状の開口用治具５５を使用することが推奨される。
【００３０】
開口用治具５５は平板状のものであり、樹脂材料、金属材料あるいは紙などで作られる。大きさは配管立ち上げ用治具５０の上面５３の大きさと同じであることが望ましく、配管立ち上げ用治具５０の上面５３に形成した４つの長孔５４と同じパターンで４つの長孔５６が形成される。この開口用治具５５を床下地７０上の３箇所の所定位置に置き、４つの長孔５６を基準として穴あけ作業を行うことにより、床下地７０に所期どおりの４つの第２の開口７４を形成することができる。穴あけ作業後、開口用治具５５は除去してもよく、そのまま残しておいてもよい。この作業で二重床施工業者の作業は終了する。作業終了後、施工現場から離れても、以降の作業に何の影響も与えない。
【００３１】
次に、配管業者が入り、図６に示すように、施工図面に従って３枚の温水シート、すなわち１枚の温水シート１０ａと２枚の温水シート１０ｂとを床下地７０の上に配置する。配置後には、各温水シートから延出する温水パイプ端部は、床下地７０に形成した第２の開口７４の直近に位置している。作業者は第２の開口７４から適宜の工具を挿入して、その下に、配管立ち上げ用治具５０に形成した４個の長孔５４から飛び出た状態で位置している４つの温水配管（すなわち、２本の往き側継ぎ管６３ｂと２本の戻り側継ぎ管６４ｂ）の端部を、４つの第２の開口７４からそれぞれ床下地７０の上に引き出す。
【００３２】
そして、引き出した各温水配管の端部と、対応する温水シートから延出している温水パイプの４つの端部とを色合わせしながら接続する。同じ作業を３枚の温水シートについて行うことにより、所要の閉じた温水回路が形成される。その後に、図６に示すように、床下地７０の上に出ている温水パイプや温水配管を床下地７０の下に押し込むことにより、配管業者の作業は終了する。
【００３３】
最後に、図７に示すように、床仕上げ業者が床下地７０の上に、従来工法と同様にして、スタートパネル２１、本体パネル２２、エンドパネル２３、周辺パネル２４のような床仕上げ材を敷き詰める作業を行い、温水式床暖房施工は終了する。
【図面の簡単な説明】
【００３４】
【図１】本発明による施工方法で用いられる温水シートの３つの例を示す図。
【図２】本発明による施工方法で造られた二重床における温水式床暖房構造の２つの例を上から見て示す図。
【図３】本発明による二重床における温水式床暖房の施工方法を工程順に示す第１の図。
【図４】本発明による二重床における温水式床暖房の施工方法を工程順に示す第２の図。
【図５】本発明による二重床における温水式床暖房の施工方法を工程順に示す第３の図。
【図６】本発明による二重床における温水式床暖房の施工方法を工程順に示す第４の図。
【図７】本発明による二重床における温水式床暖房の施工方法を工程順に示す第５の図。
【図８】図８ａは本発明で用いる配管立ち上げ用治具を示し、図８ｂは開口用治具を示す。
【図９】図９ａは温水配管と温水パイプとの接続態様の一例を模式的に示す図であり、図９ｂは配管立ち上げ用治具に温水配管の端部を仮留めした状態を示す図。
【図１０】従来の二重床における温水式床暖房の一例を示す図。
【図１１】温水式床暖房で用いられる温水シートの一例を示し、図１１ａは平面図、図１１ｂは図１１ａのｂ−ｂ線に沿う断面図。
【符号の説明】
【００３５】
１…コンクリートスラブ、１０、１０ａ、１０ｂ…温水シート、１２…温水パイプ、１４…温水入口側端部、１５…温水出口側端部、２１…スタートパネル、２２…本体パネル、２３…エンドパネル、２４…周辺パネル、５０…配管立ち上げ用治具、５３…上面、５４…長孔、５５…開口用治具、５６…長孔、６１…ボイラー、６２…ボイラーからの温水配管、６３…温水配管往き側端、６４…温水配管戻り側端、６３ａ、６４ａ…分岐継手、６３ｂ…往き側継ぎ管、６４ｂ…戻り側継ぎ管、７０…床下地、７４…第２の開口
【図１】
2005241072.tif 000003
【図２】
2005241072.tif 000004
【図３】
2005241072.tif 000005
【図４】
2005241072.tif 000006
【図５】
2005241072.tif 000007
【図６】
2005241072.tif 000008
【図７】
2005241072.tif 000009
【図８】
2005241072.tif 000010
【図９】
2005241072.tif 000011
【図１０】
2005241072.tif 000012
【図１１】
2005241072.tif 000013